(57)【要約】  この発明は、容器の開口を閉じるための開閉可能なフォイル蓋（５）に関する。この蓋は、容器の開口に適合させたフォイルシートと、開口の縁に開閉可能に取り付けるための、フォイルシートに設けられた取付手段とを含む。この発明はさらに、前掲の請求項のいずれかに記載の容器および開閉可能なフォイル蓋の組合せに関する。容器は、底部と、底部から延在する周壁（２）とを含み、周壁の上部は開口を定め、開閉可能なフォイル蓋は開口の縁に取り付けられる。
2008515733.tif 000002
【特許請求の範囲】
【請求項１】
容器の開口を閉じるための開閉可能なフォイル蓋であって、
容器の開口に適合させたフォイルシートと、
開口の縁に開閉可能に取り付けるために、フォイルシートに設けられた取付手段とを含む、フォイル蓋。
【請求項２】
取付手段は、少なくとも一部がフォイルシートの周囲に沿って延在する可撓性口縁を含む、請求項１に記載の開閉可能フォイル蓋。
【請求項３】
可撓性口縁は、開口の縁とスナップ留めのように相互作用する、請求項２に記載の開閉可能フォイル蓋。
【請求項４】
可撓性口縁はプラスチックからなる、請求項２または３に記載の開閉可能フォイル蓋。
【請求項５】
フォイルシートは、金属、特にアルミニウムからなる、上記の請求項のいずれかに記載の開閉可能フォイル蓋。
【請求項６】
フォイルシートに設けられるタブを含む、上記の請求項のいずれかに記載の開閉可能フォイル蓋。
【請求項７】
容器は、底部と、底部から延在する周壁とを含み、周壁の上部は開口を定め、開閉可能なフォイル蓋は開口の縁に取り付けられる、上記の請求項のいずれかに記載の容器および開閉可能なフォイル蓋の組合せ。
【請求項８】
周壁の上部は、内側に延在する環状縁を含む、請求項７に記載の組合せ。
【請求項９】
開口の縁は、取付手段が開閉可能に係合する周囲溝を含む、請求項７または８に記載の組合せ。
【請求項１０】
溝はビード状の縁によって形成される、請求項９に記載の組合せ。
【請求項１１】
溝は、開口の縁の折返し部によって形成される、請求項９または１０に記載の組合せ。
【請求項１２】
フォイル蓋は、溝のいずれかの側の開口の縁に取り付けられる、請求項９ないし１１に記載の組合せ。
【請求項１３】
フォイル蓋は、開口の縁に接着される、請求項７ないし１２に記載の組合せ。
【請求項１４】
容器はブリキ板の缶である、請求項７ないし１３に記載の組合せ。
【発明の詳細な説明】
【技術分野】
【０００１】
この発明は、容器の開口を閉じるための、着脱可能かつ開閉可能なフォイル蓋に関する。
【背景技術】
【０００２】
フォイル蓋は、通常、たとえば粉ミルクなどの食品を収容している容器を閉じるために用いられる。フォイル蓋は、容器を確実に閉じて、かつ、容器から容易に取り外すことができる。現行の技術に従うフォイル蓋の唯一の問題は、容器を再度閉じるのに、そのフォイル蓋を使用できないという点である。フォイル蓋を取り外した後は、容器の開口の上に配置することができて、かつ、容器を再度閉じるために用いられるキャップを追加して取り付けるのが一般的である。
【発明の開示】
【発明が解決しようとする課題】
【０００３】
この発明の目的は、容器を再度閉じるのに使用できる、着脱可能かつ開閉可能なフォイル蓋を提供することである。これによって、追加のキャップが不要となり、容器がより安価になる。
【課題を解決するための手段】
【０００４】
この発明の目的は、容器の開口に適合させたフォイルシートと、開口の縁に開閉可能に取り付けるために、フォイルシートに設けられる取付手段とを含む開閉可能なフォイル蓋によって実現する。
【０００５】
これらの取付手段によって、容器の上にフォイルシートを再度取り付けることが可能となり、開閉可能なフォイル蓋が提供される。
【０００６】
この発明に従う開閉可能なフォイル蓋の好ましい実施例では、取付手段は、少なくとも一部がフォイルシートの周囲に沿って延在する可撓性口縁を含む。口縁は、フォイルシート上に形成され、かつ、口縁が開口に対するフォイル蓋の開閉可能な取付部をなすように成形される。この可撓性口縁は、開口の縁と係合して、開口に対するフォイル蓋の追加の取付部を与える。
【０００７】
この発明に従うフォイル蓋の別の好ましい実施例では、可撓性口縁は、開口の縁とスナップ留めのように相互作用する。これによって、フォイルシートが容器にしっかりと取り付けられる。
【０００８】
好ましくは、可撓性口縁はプラスチックからなる。これによって、可撓性口縁に多少の剛性が与えられて、口縁の形状は確実に開口の形状に適合した状態を保つ。一般的に、フォイルシートは、金属、特にアルミニウムからなる。このフォイルシートは、しわになる寸法を有しているが、プラスチックの可撓性口縁との組み合わせにより、何度も開閉した後でもしわの少ない状態を維持する。
【０００９】
プラスチックの可撓性口縁は、接着剤などでフォイルシートに取り付けられる、前もって形成された口縁であってもよい。この口縁は、閉じられた、または遮られた口縁の形状を有していてもよく、好ましくは、その形状は円形などの環状である。好ましくは、この口縁は、射出成形などの成形によって、フォイルシート上に形成される。すべての実施例で、良好に閉じることができる。
【００１０】
この発明はさらに、この発明に従う容器および開閉可能なフォイル蓋との組み合わせに関し、容器は、底部と、底部から延在する周壁とを含み、周壁の上部は開口を定め、開閉可能なフォイル蓋は、開口の縁に取り付けられる。
【００１１】
この発明に従う組み合わせの好ましい実施例では、周壁の一部は、内側に延在する環状の縁を含む。この環状の縁に、フォイル蓋を、たとえばフォイルシートをそのリングに接着するなどの一般的な方法で取り付けることができる。
【００１２】
この発明に従う組み合わせの好ましい実施例では、開口の縁は、取付手段が開閉可能に係合する周囲溝を含む。溝を設けることで、取付手段、特に口縁をその溝にスナップ式にはめ込むことができ、それによって容器に良好に取り付けることができる。さらに、装着手段を溝に押し込むことができるので、フォイル蓋は容器を良好に密閉する。
【００１３】
この発明に従う組み合わせのさらに好ましい実施例では、溝は、ビード状の縁によって形成される。開口の縁にはビード状の縁を設けるのが一般的である。これは、容器の材料の鋭利な縁によって開口の縁が形成されるのを防ぐためである。縁はビード状にすることで、より丸みを帯びることになる。ここでビード状の縁を適切に配置することで、この縁に溝を設けることもできる。
【００１４】
この発明に従う組み合わせのさらに別の実施例では、溝は、開口の縁の折返し部によって形成される。
【００１５】
この発明に従う組み合わせのさらに別の好ましい実施例では、フォイル蓋は、溝のいずれかの側の開口の縁に取り付けられる。特に、そのような組み合わせを殺菌するとき、そのような容器を殺菌する際に生じる圧力が加わって、フォイル蓋が開口の縁から裂けてしまう。ここで、フォイル蓋を溝のいずれかの側に取り付けることで、十分な大きさの取付面が設けられ、殺菌時に生じる力に対応可能となる。
【００１６】
好ましくは、フォイル蓋は開口の縁に接着される。
容器は、好ましくは、第一に、可撓性口縁が好ましくはフォイルシートに対する封止によって接着されるプロセスによって作られることは明らかである。第二に、フォイルシートは、環状部に接着され、最終的に環状部を容器に接合する。
【００１７】
この発明に従うこのような組み合わせは任意の材料で作ることができるが、容器はブリキ板またはプラスチックから製造するのが好ましい。
【発明を実施するための最良の形態】
【００１８】
この発明のこれらの特長およびその他の特長を、添付の図面と関連して説明する。
図１に、この発明に従う組合せ１の断面図を示す。この組合せ１は、周壁２を有する容器と、周壁２に対してビードをなす環状上部３とを含む。環状部３の内縁４は、鋭利な縁によって容器の開口が形成されないように丸まっている。環状部３の頂部にはフォイル蓋５が設けられ、フォイル蓋は、その底側に、環状部３に接着するためのコーティング６を有する。開閉可能なフォイル蓋５は、開口の縁４の周囲に延在する口縁７を含む。口縁７は、部分的にこの縁４を覆う。タブ８を引くことで、蓋５が環状部３から外れた後、可撓性口縁７によって、フォイル蓋を再度閉じることができる。
【００１９】
このような組合せ１を殺菌しているとき、口縁７は、フォイル蓋５を環状部３に取り付けるために多少起伏している。口縁７のその形状のために、圧力の一部が縁４に移動し、それによって、フォイル蓋５を環状部３に取り付ける取付領域にかかる力が軽減される。
【００２０】
図２は、この発明に従う第２の実施例１０の断面図を示す。図１に記載の実施例１と同様の部分は、同じ参照符号で表わしている。
【００２１】
図２に記載の組合せ１０も同様に、容器の周壁２に設けられる環状部３を有する。縁１１も同様に丸まった縁を有するが、この実施例では、溝１２が設けられ、その溝の中にフォイル蓋５の口縁が延在する。この口縁１３は切欠きを有し、その切欠きを丸まった縁１１に引っ掛けられることで、フォイル蓋５はスナップ留めのように閉じられる。
【００２２】
図３は、この発明に従う第３の実施例２０を示す。ここでも、図１に記載の実施例と同様の部分は、同じ参照符号で表わしている。容器は、環状部２１が設けられた周壁２を有する。この環状部２１は、開口を定める丸まった縁２２を有する。環状部２１は、溝を定める折返し部２３を有する。この溝の中に、フォイル蓋５に取り付けられた口縁２４が延在する。同じく、この溝および口縁２４によって、開閉可能なフォイル蓋が提供される。フォイル蓋５は、フォイル蓋５と環状部２１との間の境界面２５および２６において、溝２３のいずれかの側に接着することができる。
【図面の簡単な説明】
【００２３】
【図１】この発明に従う組み合わせの第１の実施例の断面図である。
【図２】この発明に従う組み合わせの第２の実施例の断面図である。
【図３】この発明に従う組み合わせの第３の実施例の断面図である。
【図１】
2008515733.tif 000003
【図２】
2008515733.tif 000004
【図３】
2008515733.tif 000005
【国際調査報告】
2008515733.tif 000006
2008515733.tif 000007
2008515733.tif 000008